(57)【要約】【目的】  ハードウェア処理による変換アルゴリズムによって画像データの主走査方向及び副走査方向ともに少数変倍を行えるようにする。【構成】  上位装置から転送される任意の解像度の画像データに対して主走査方向及び副走査方向にそれぞれ設定された倍率で変倍し、その各変倍された画像データに応じて変調された光ビームを走査することによって像担持体上に画像形成を行う際、上記倍率を主走査方向及び副走査方向ともに１．５に設定し、変倍されたパルス幅ビット＋位相ビットで構成される画像データに対してγ補正を施す。【選択図】        図１
2006086749.tif 000002
【特許請求の範囲】
【請求項１】
上位装置から転送される任意の解像度の画像データに対して主走査方向及び副走査方向にそれぞれ設定された倍率で変倍を施す変倍手段と、該変倍手段によって各変倍された画像データに応じて変調された光ビームを走査することによって像担持体上に画像形成を行う画像形成手段とを備えた画像形成装置において、
前記変倍手段に対して前記倍率を主走査方向及び副走査方向ともにｎ．５（ｎは１以上の整数）に設定する設定手段と、前記変倍手段によって変倍されたパルス幅ビット＋位相ビットで構成される画像データに対してγ補正を施すγ補正手段とを設けたことを特徴とする画像形成装置。
【請求項２】
上位装置から転送される任意の解像度の画像データに対して主走査方向及び副走査方向にそれぞれ設定された倍率で変倍を施す変倍手段と、該変倍手段によって各変倍された画像データに応じて変調された光ビームを走査することによって像担持体上に画像形成を行う画像形成手段とを備えた画像形成装置において、
前記変倍手段に対して前記倍率を主走査方向及び副走査方向ともに２×（ｎ．５）（ｎは１以上の整数）に設定する設定手段と、前記変倍手段によって変倍されたパルス幅ビット＋位相ビットで構成される画像データに対してγ補正を施すγ補正手段とを設けたことを特徴とする画像形成装置。
【請求項３】
請求項１又は２記載の画像形成装置において、
前記ｎ＝１であることを特徴とする画像形成装置。
【請求項４】
上位装置から転送される任意の解像度の画像データに対して主走査方向及び副走査方向にそれぞれ設定された倍率で変倍を施す変倍手段と、該変倍手段によって各変倍された画像データに応じて変調された光ビームを走査することによって像担持体上に画像形成を行う画像形成手段とを備えた画像形成装置において、
前記変倍手段に対して前記倍率を主走査方向及び副走査方向ともにｎ．５（ｎは１以上の整数）に設定する第１の設定手段と、前記変倍手段に対して前記倍率を主走査方向及び副走査方向ともに２×（ｎ．５）（ｎは１以上の整数）に設定する第２の設定手段と、前記第１の設定手段と前記第２の設定手段のうちいずれか一方を選択する手段と、前記変倍手段によって変倍されたパルス幅ビット＋位相ビットで構成される画像データに対してγ補正を施すγ補正手段とを設けたことを特徴とする画像形成装置。
【請求項５】
請求項１記載の画像形成装置において、
前記γ補正手段は、前記変倍手段によって変倍されたパルス幅ビット＋位相ビットで構成される画像データに対して複数のチューニングパターンに基づいてγ補正を施す手段であることを特徴とする画像形成装置。
【発明の詳細な説明】
【技術分野】
【０００１】
この発明は、上位装置から転送される任意の解像度の画像信号に対して、主走査及び副走査方向にそれぞれ変倍を施す手段を有し、各変倍された画像データに応じて変調された光ビームを走査することによって像担持体上に電子写真方式等の作像方式で画像形成を行うデジタルフルカラーレーザプリンタ、デジタルフルカラー複写機、及びデジタル複合機等の画像形成装置に関する。
【背景技術】
【０００２】
従来、画像データの変倍に際し、ページメモリを必要とせず、リアルタイムに任意かつ精細な変倍率で変倍を実現する画像処理装置（例えば、特許文献１参照）があった。
また、ファクシミリ装置側の読取部で読み取った画情報の副走査方向の密度変換を、副走査変倍部により、例えば原稿搬送用のモータの速度制御を行い、この副走査方向の密度変換された画情報をスキャナインタフェース部を介してコンピュータ装置に送出し、そのコンピュータ装置において、受信した画情報の主走査方向の密度変換を、主走査変倍部により行うことにより、ファクシミリ装置側のラインバッファのサイズを超えての拡大変換を可能とする装置（例えば、特許文献２参照）があった。
【特許文献１】特開２００１−２０３８５６号公報
【特許文献２】特開２０００−１９６８６６号公報
【発明の開示】
【発明が解決しようとする課題】
【０００３】
しかしながら、上述した前者の装置では、画像データを変倍する倍率が、Ｎ（Ｎは整数）の場合のみであり、例えば、画像データの主走査方向及び副走査方向ともに１．５倍密などの少数変倍を行えないという問題があった。
また、上述した後者の装置では、主走査方向の変倍はコンピュータ装置により行われるため、同一手段によって画像データの主走査方向及び副走査方向ともに１．５倍密などの少数変倍を行えないという問題があった。
さらに、一般的に知られている方法では、上位装置からの画像データを、例えば、主走査方向及び副走査方向に１．５倍に変倍するのに、ソフトウェア処理による１．５倍密化に加えて誤差拡散処理を施して後段の制御部に転送する方法があるが、ソフトウェアによる処理のため、変倍処理や誤差拡散処理などに時間がかかり、画像形成装置のスループットに影響を与えるという問題を抱えていた。
この発明は上記の点に鑑みてなされたものであり、ハードウェア処理による変換アルゴリズムによって画像データの主走査方向及び副走査方向ともに少数変倍を行えるようにすることを目的とする。
【課題を解決するための手段】
【０００４】
この発明は上記目的を達成するため、次の（１）〜（５）の画像形成装置を提供する。
（１）上位装置から転送される任意の解像度の画像データに対して主走査方向及び副走査方向にそれぞれ設定された倍率で変倍を施す変倍手段と、その変倍手段によって各変倍された画像データに応じて変調された光ビームを走査することによって像担持体上に画像形成を行う画像形成手段を備えた画像形成装置において、上記変倍手段に対して上記倍率を主走査方向及び副走査方向ともにｎ．５（ｎは１以上の整数）に設定する設定手段と、上記変倍手段によって変倍されたパルス幅ビット＋位相ビットで構成される画像データに対してγ補正を施すγ補正手段を設けた画像形成装置。
【０００５】
（２）上位装置から転送される任意の解像度の画像データに対して主走査方向及び副走査方向にそれぞれ設定された倍率で変倍を施す変倍手段と、その変倍手段によって各変倍された画像データに応じて変調された光ビームを走査することによって像担持体上に画像形成を行う画像形成手段を備えた画像形成装置において、上記変倍手段に対して上記倍率を主走査方向及び副走査方向ともに２×（ｎ．５）（ｎは１以上の整数）に設定する設定手段と、上記変倍手段によって変倍されたパルス幅ビット＋位相ビットで構成される画像データに対してγ補正を施すγ補正手段を設けた画像形成装置。
（３）上記（１）又は（２）の画像形成装置において、上記ｎ＝１である画像形成装置。
【０００６】
（４）上位装置から転送される任意の解像度の画像データに対して主走査方向及び副走査方向にそれぞれ設定された倍率で変倍を施す変倍手段と、その変倍手段によって各変倍された画像データに応じて変調された光ビームを走査することによって像担持体上に画像形成を行う画像形成手段を備えた画像形成装置において、上記変倍手段に対して上記倍率を主走査方向及び副走査方向ともにｎ．５（ｎは１以上の整数）に設定する第１の設定手段と、上記変倍手段に対して上記倍率を主走査方向及び副走査方向ともに２×（ｎ．５）（ｎは１以上の整数）に設定する第２の設定手段と、上記第１の設定手段と上記第２の設定手段のうちいずれか一方を選択する手段と、上記変倍手段によって変倍されたパルス幅ビット＋位相ビットで構成される画像データに対してγ補正を施すγ補正手段を設けた画像形成装置。
【０００７】
（５）上記（１）の画像形成装置において、上記γ補正手段を、上記変倍手段によって変倍されたパルス幅ビット＋位相ビットで構成される画像データに対して複数のチューニングパターンに基づいてγ補正を施す手段にした画像形成装置。
【発明の効果】
【０００８】
この発明による画像形成装置は、ハードウェア処理による変換アルゴリズムによって画像データの主走査方向及び副走査方向ともにｎ．５（ｎは正の整数）倍密，２×ｎ．５（ｎは正の整数）などの少数変倍を行うことができる。
【発明を実施するための最良の形態】
【０００９】
以下、この発明を実施するための最良の形態を図面に基づいて具体的に説明する。
図１は、この発明の画像形成装置の一実施形態のデジタルフルカラー複写機の制御系の簡略化した構成を示すブロック図である。
図２は、図１のデジタルフルカラー複写機のエンジン部の概略構成を示すブロック図である。このデジタルフルカラー複写機は、ＬＤの数が２ＬＤ方式である。
図１に示すように、ＦＡＸインタフェイス（ＦＡＸ  Ｉ／Ｆ）１０１は、ＦＡＸアプリケーションからのインタフェイスであり、ＦＡＸ送受信データの受け渡しを行う。
ＦＡＸ制御部１０２は、ＦＡＸ  Ｉ／Ｆ１０１からの送受信データに、各ＦＡＸの通信仕様等に合わせた処理を行う。
ホストインタフェイス（Ｉ／Ｆ）１０３は、ホストコンピュータあるいはネットワークからの画像の受け渡しを行う。
【００１０】
プリンタ制御部１０４は、ホストＩ／Ｆ１０３からのデータをコントローラ（図示を省略）を介して処理を行う。
原稿読取部１０５は、原稿の画像データを原稿台あるいは自動給紙装置（Ａｕｔｏ  Ｄｏｃｕｍｅｎｔ  Ｆｅｅｄｅｒ：ＡＤＦ）から読み取る。
入力画像処理部１０６は、原稿読取部１０５で読み取った原稿の画像データを入力処理する。
キー操作部１０７は、このデジタルフルカラー複写機におけるアプリケーション選択、プリント枚数、用紙サイズ、拡大／縮小、ユーザプログラム（ＵＰ）、サービスプログラム（ＳＰ）の各選択／設定キー、その他の各設定と、設定モードのクリア、動作スタート／停止を行うための各種キーを備えている。
【００１１】
主制御部１０８は、このデジタルフルカラー複写機の本体の各アプリケーションからのデータの受け渡しを総括制御するものであり、ＣＰＵを始めとした各周辺アプリケーションを制御する制御回路（マイクロコンピュータ）との通信、タイミング制御、コマンドＩ／Ｆを司る。
メモリ部１０９は、ＦＡＸ制御部１０２、プリンタ制御部１０４、入力画像処理部１０６からの画像データを記憶する記憶部である。
書込制御部１１０は、主制御部１０８からの画像データに対して転写紙サイズに合わせた画像領域の設定、及びＬＤ変調を行って複写機のエンジン部分に渡す。
画像印字部１１１は、感光体（ＯＰＣ）、中間転写ベルト等の転写を経由して転写紙に画像を印字して定着出力する。
このデジタルフルカラー複写機は、キー操作部１０７からの信号に応じて各部を制御し、主制御部１０８からの命令信号により印字動作を開始させる。
【００１２】
なお、この実施形態のデジタルフルカラー複写機のこの発明に係る部分は、ＦＡＸ制御部１０２、プリンタ制御部１０４、入力画像処理部１０６、キー操作部１０７、主制御部１０８、書込制御部１１０である。
例えば、コピー動作の場合、書込制御部１１０の機能は、まず主制御部１０８から入力画像処理部１０６からの画像データを書込制御部１１０に転送し、転送された画像データに基づいて画像印字部１１１を駆動して画像データを印字する。
この動作を、書込制御部１１０（図２の書込ユニット）によって、主走査方向及び副走査方向に繰り返すことで複数枚数の印字を続ける。
【００１３】
次に、図２に示すように、このデジタルフルカラー複写機のエンジン部（１ドラム方式のエンジン部分）の書込ユニット２０１、感光体ベルト２１４、中間転写ベルト２０６を一例とした、図１に示した書込制御部１１０を含む画像印字部１１１の動作を簡単に説明する。
書込ユニット（図１の書込制御部１１０と同一）から露光されるレーザ光によって感光体ベルト２１４上に潜像を形成し、ブラック（Ｂｌａｃｋ）、イエロー（Ｙｅｌｌｏｗ）、シアン（Ｃｙａｎ）、マゼンタ（Ｍａｇｅｎｔａ）の各色の現像器２０２ａ〜２０２ｄによりトナー現像を行う。また、帯電ブラシ２０３、除電部２０４、感光体クリーニング２０５によって、感光体ベルト２１４の除電と帯電を行う。
その後、中間転写ベルト２０６、クリーニングブラシローラ２０７、１次転写ブラシ２０８によって中間転写を行い、給紙トレイ２０９から給紙された用紙を２次転写ローラ２１０で搬送し、画像を形成する。
【００１４】
そして、形成された画像は、定着ユニット２１１により熱定着が行われ、分岐ユニット２１２を通り、本体への排紙、もしくは図２の場合は両面ユニット２１３へのいずれかの排紙経路を通る。
以上の一連の動作によって、ホストコンピュータからコントローラを介して入力した印字データに基づいた印刷が行われる。なお、２色以上のカラー印字の場合は、上記一連の動作を各色毎に繰り返して行う。
【００１５】
次に、このデジタルフルカラー複写機において、上位装置から転送される任意の解像度の画像データに対して主走査方向及び副走査方向にそれぞれ設定された倍率で変倍を施し、その各変倍された画像データに応じて変調された光ビームを走査することによって像担持体上に画像形成を行う際、上記倍率を主走査方向及び副走査方向ともに１．５に設定し、上記変倍されたパルス幅ビット＋位相ビットで構成される画像データに対してγ補正を施す場合について説明する。
【００１６】
まず、この発明の参考となる従来のソフトウェアによる主／副１．５倍密変換処理について説明する。
図３は、この発明の参考となる従来のソフトウェアによる画像データの主走査方向と副走査方向の１．５倍密変換処理の一例の説明図である。
上位装置として、ファクシミリ装置（ＦＡＸ）を例にとると、ＦＡＸ制御部から４００ｄｐｉの解像度で画像データが主制御部に転送されたとき、次の１〜４の手順で画像データの主走査方向と副走査方向の１．５倍密変換処理を行う。
【００１７】
１．図３の（ａ）と（ｂ）に示すように、伸長データの２値１画素１ビット（ｂｉｔ）を多値１画素８ｂｉｔに拡張（０→０、１→２５５）する。その後、誤差拡散処理を行い、２ラインデータの誤差拡散データを生成する。
２．２ラインデータの誤差拡散データから多値データ（ＢＹＴＥ）を作成し、誤差拡張データをグレースケール画像に変換する。そのとき、多値化フィルタを通してグレースケールデータを生成する。
３．変換後のグレースケールデータを主走査方向に対して１．５倍して格納する。図３の（ｃ）に示すように、カウント０，１，２，３……のうちの偶数の時、自身×２をコピーする。また、奇数の時は自身のみをコピーする。
【００１８】
４．図３の（ｅ）と（ｆ）に示すように、副走査方向を１．５倍する。また、偶数ライン目は次ラインにもコピーする。
この後、１画素８ｂｉｔの多値データにパッキング処理して主制御部に出力する。
プリンタ制御部１０４→主制御部１０８では、ＩＭＨ→画像処理ＩＣ（階調処理スルー）→画像処理＆画像Ｉ／Ｆ制御ＩＣ（ここで誤差拡散による２値化を実行）の手順である。また、主制御部１０８→書込み制御部１１０では、画像処理＆画像Ｉ／Ｆ制御ＩＣ→書込み画像処理ＩＣ（２値データとして入力）の手順である。
つまり、上記３及び４の処理により、主走査方向と副走査方向が１．５倍化された画像データは、画像処理ＩＣにより誤差拡散処理（２値化）されて、書込制御部内の書込画像処理ＩＣに転送される。
【００１９】
主制御部内は、画像処理ＩＣと画像処理＆画像Ｉ／Ｆ制御ＩＣを有し、書込制御部は書込画像処理ＩＣを有する。
上述の手順により１．５倍密（６００ｄｐｉ）への変倍が実行される。
しかし、このソフトウェア処理においてはページメモリの所得処理や１．５倍化の処理に時間を要し、システムのスループットに影響を与えることが多い。
【００２０】
次に、この実施形態のデジタルフルカラー複写機におけるハードウェア処理による変換アルゴリズムについて説明する。
図４は、この実施形態のデジタルフルカラー複写機における主走査方向及び副走査方向ともに１．５倍密で変倍するときの構成例を示すブロック図であり、図１に示す書込制御部１１０内の書込画像処理ＩＣの内部の構成を示すものである。なお、使用するＬＤ数を２（２ＬＤ方式）として説明する。
まず、１ドラム機の動作方式である中間転写ベルトマーク検知（検出）回路３１６により、ベルトマーク入力と各種レジスタ設定値のレジスタ設定を受けて作像基準信号及びＦＳＹＮＣ信号を外部に出力する。その出力先は、図１の主制御部１０８である。
また、画像同期信号発生回路３１５により、主走査方向のＬＤＳＹＮＣ信号を生成して出力する。
【００２１】
上位装置（一例としてＦＡＸ）からの入力画像［１５：０］（この実施形態では１６ｂｉｔの画像データ）は、入力ＦＧＡＴＥ信号，ＬＧＡＴＥのアサート期間中に入力クロックに同期して入力データＩ／Ｆ回路３０１に入力される。
さらに、入力ＦＧＡＴＥ信号は副走査タイミング制御部３１４に入力され、後段のブロックへの副走査カウンタのロード信号を生成して出力する。
ＦＡＸからの入力画像は、次段のバッファラム（ＢＲＡＭ）Ｉ／Ｆ＆制御回路３０３に入力され、システム構成にしたがった領域を有するバッファＲＡＭ３０２との間で入出力される。
【００２２】
バッファＲＡＭ３０２を介した画像データはＰＤＡＴＡ０〜ＰＤＡＴＡ１０として各々出力後パラレル／シリアル変換され、イメージマトリックス（Ｉｍａｇｅ  Ｍａｔｒｉｘ）部３０５に入力され、主走査倍密タイミング制御部３１７からの制御を行って、主／副１．５倍密補正回路３０６，３０８及びそれに並列配置された他の処理回路（例えば画像データのエッジ補正機能、画像データのスムージング補正機能等の処理を施す回路）３０７，３０９に入力される。
これらの処理は、図１の書込制御部１１０内の書込み画像処理ＩＣ（図示省略）のレジスタ設定により一意的に選択され、セレクタ３１０，３１１を介して各ＬＤ（ここでは２ＬＤ方式）の画像データとして、後段のブロックの後段処理ブロック３１２，３１３に転送される。
【００２３】
図５及び図６は、画像データの主走査方向及び副走査方向に対する１．５倍密処理に関するタイミングを示すタイミングチャート図である。
まず、図５は、２ＬＤ構成における画像データの主走査方向及び副走査方向に対する１．５倍密の全体制御タイミングをタイミングチャートであり、同期検知信号（図示省略）から生成される内部信号（ｘｌｃｌｒ：ｘは不論理の意）と、入力ＦＧＡＴＥ信号，入力ＬＧＡＴＥ信号によって、外部へのＬＤＳＹＮＣ出力信号を生成するタイミングである。
画像データの主走査方向及び副走査方向に対する１．５倍密の場合、ｘｌｃｌｒ信号の３周期（ポリゴンミラー１面分に相当）に対して、ＬＤＳＹＮＣ出力信号が４回出力されるタイミングが、図４に示す画像同期信号発生回路３１５によって生成される。
ここで、各ＬＤに対するＬＤＳＹＮＣ信号は、各レジスタ（ｌｄｓｙｎｃ０ｄ＿ｒ，ｌｄｓｙｎｃ１ｄ＿ｒ）の設定によって、ｘｌｃｌｒ信号からその設定分を伴い遅延して出力される。
【００２４】
次に、図６は、図４のバッファＲＡＭ３０２の内部のデータ書き込みとデータ読み出しの動作を示すタイミングチャート図である。
この図では、１３ラインのバッファＲＡＭを持つシステムでのタイミングを示しており、各バッファＲＡＭに対する入力画像の書き込みと読み出しのタイミングである。
図４のバッファＲＡＭ３０２への書き込み／読み出しＦＧＡＴＥの期間長は、主走査方向を制御するｖｄｌｎ＿ｒレジスタにより行われ、バッファＲＡＭ３０２の読み出し開始は副走査方向を制御するｆｖａｌ＿ｒレジスタによって行われる。
ここでは画像データの主走査方向及び副走査方向に対する１．５倍密処理を行う構成を示しており、図５では、ｘｌｃｌｒ：３回分（２ＬＤ方式のためポリゴン３面分）で入力ＬＧＡＴＥ信号：４ラインの入力画像データをバッファＲＡＭ３０２に入力し、その４ラインデータをポリゴン３面分（即ち２×３＝６ライン分）で出力するので、副走査方向に関しては、このタイミング制御によって６／４＝１．５倍の倍密制御が行えることになる。図６は、その場合のバッファＲＡＭ３０２の書き込みと読み出しのタイミングの一例である。
【００２５】
このように、副走査方向に関しては、ポリゴン１面分に相当するｘｌｃｌｒ間隔に対するＬＤＳＹＮＣ出力の制御を変えることで、副走査方向の倍密化が行えることになる。
つまり、ポリゴン１面分当たりのＬＤ走査数が２であるので倍密数：Ｍとすると、ポリゴン面数の周期：Ｔ、入力画像データのライン数：Ｌに相当するＬＤＳＹＮＣ出力数：Ｎは、Ｍ＝（２×Ｔ）／Ｌとなり、１．５倍密の場合は、Ｔ＝３、Ｌ＝４となる。
したがって、ＬＤＳＹＮＣ出力数：Ｎ＝Ｌ＝４となる。
上記算出式に基づく処理によって、画像データの任意の主走査方向及び副走査方向の少数変倍（ｎ．５倍密）におけるＬＤＳＹＮＣ信号出力数などのタイミング仕様を、ハードウェアによって実現することができる。
【００２６】
次に、主走査方向を含む主走査方向と副走査方向をｎ．５倍密（ｎ＝１：１．５倍密）にする画像変換アルゴリズムの一例を説明する。
図７は、主走査方向を含む主走査方向と副走査方向をｎ．５倍密（ｎ＝１：１．５倍密）にする画像変換アルゴリズムの処理を示す説明図である。
これまでに、上位装置とのＩ／Ｆに対するタイミング制御に関する構成を示したが、実際の画像データに関する倍密化は、図６に示すタイミングによって行われる。
図７では、１画素４ｂｉｔの多値入力画像データとした場合、主走査方向２ドット（ｄｏｔ）×副走査２ドット（ｄｏｔ）の画像データ（主走査方向にＡ、Ｂ、Ｃ、Ｄ）の配列であるものを、主走査方向３ドット×副走査方向３ドットの画像データ配列に変換するものである。
【００２７】
その変換は、１画素４ビットの画像データに対して、パルス幅（２ビット）＋位相（２ビット）とする処理であり、後述のようにして、パルス幅、位相の各値を決定する。
例えば、主走査方向と副走査方向についてそれぞれ４００ｄｐｉで入力された画像データに１．５倍密処理を施して主走査方向と副走査方向が６００ｄｐｉの画像データを出力する場合、図７に示すように、位相ビット対応は行わず、４ビットのデータにて左、中、右のデータを生成し、後段のγテーブルによって変換対応する。
【００２８】
例えば、Ａ＝１１１１（黒）、Ｂ＝１１１１（黒）、Ｃ＝００００（白）、Ｄ＝１１１１（黒）のような画像データを１．５倍密変換する場合、パルス幅のａ＝２Ａ＋２Ｂ、ｂ＝２Ａ＋２Ｃ、ｃ＝Ａ＋Ｂ＋Ｃ＋Ｄ、ｄ＝２Ｂ＋２Ｄ、ｅ＝２Ｃ＋２Ｄと、位相のａ＝Ｂ−Ａ、ｅ＝Ｄ−Ｃ、ｂ＝ｄ＝０、ｃ＝（Ｂ＋Ｄ）−（Ａ＋Ｃ）の計算結果が−２、−１のとき左（１０ｂ）とし、０のとき中（００ｂ）とし、＋１、＋２のとき右（０１ｂ）とする。
【００２９】
したがって、図８に示すイメージになり、出力データＡ、Ｂ、Ｃ、Ｄは、入力に応じて００００ｂ又は１１１１ｂとなり、出力データａ、ｂ、ｃ、ｄ、ｅは、図１３のようになる。図１３において、パルス幅１の左の「０１１０」の「１０」と、パルス幅１の右の「０１０１」の「０１」と、パルス幅２の左の「１０１０」の「１０」と、パルス幅２の中の「１０００」の「００」と、パルス幅２の右の「１００１」の「０１」と、パルス幅３の左の「１１１０」の「１０」と、パルス幅３の右の「１１０１」の「０１」が位相。
このように変換された画像データに対して、図４の後段処理ブロック３１２，３１３でγ補正を各ＬＤ毎に実施する。
【００３０】
このようにして、従来のソフトウェアによる処理に代わって、ハードウェア処理による変換アルゴリズムでの処理によるシステムのスループットを向上することができる。
また、主／副１．５倍密の変倍率を持たせることで、例えば４００ｄｐｉ→６００ｄｐｉ変換を、ハードウェア処理により実現することができる。
なお、上述の処理では、ｎ＝１について説明したが、ｎ≧２以上の整数についても同様にして実施することができる。
【００３１】
次に、図１に示したデジタルフルカラー複写機で、上位装置から転送される任意の解像度の画像データに対して主走査方向及び副走査方向にそれぞれ設定された倍率で変倍を施し、その各変倍された画像データに応じて変調された光ビームを走査することによって像担持体上に画像形成を行う際、上記倍率を主走査方向及び副走査方向ともに２×ｎ．５（ｎは正の整数）に設定し、上記変倍されたパルス幅ビット＋位相ビットで構成される画像データに対してγ補正を施す場合について説明する。
図１に示したデジタルフルカラー複写機で、画像データの主走査方向と副走査方向ともに２×（ｎ．５）する手段を設け、図９に示す変換結果を得られるように、図１０に示すように、主走査方向と副走査方向ともに１．５倍密された画像データに対して、ｚ１５０ｘ２レジスタを用いることにより、画像データの主走査方向と副走査方向ともに３倍密とする機能である。
【００３２】
ここで、ｓｄ［２：０］，ｍｄ［２：０］レジスタは、それぞれ副走査方向、主走査方向の倍密設定レジスタであり、ｌｓ［２：０］レジスタは、ＬＤＳＹＮＣ出力信号を制御するレジスタである。
具体的には、４００ｄｐｉで入力した画像データを主走査方向と副走査方向ともに１．５倍密して６００ｄｐｉ出力した後、ｚ１５０ｘ２レジスタを使用して主走査方向に対して１２００ｄｐｉとして出力する機能を設けるものである。
これは、主走査４００ｄｐｉを主走査１２００ｄｐｉに３倍密変換する機能と同等であるが、ＦＡＸなどからの入力画像データに対して少数変倍を行って出力する際、デジタルフルカラー複写機の解像度に対応して、少数変倍後にさらに２倍化を可能とする機能を付加させたものである。
【００３３】
図１０に示すレジスタのｍｄ＿ｒ［３：０］，ｓｄ＿ｒ［３：０］，ｌｓ＿ｒ［３：０］の値の組み合わせで１．５倍密機能を設定する。
すなわち、ｍｄ＿ｒ＝７、ｓｄ＿ｒ＝７、ｌｓ＿ｒ＝７で、主６００ｄｐｉ（４００ｘ１．５）、副６００ｄｐｉ（４００ｘ１．５）とし、ｍｄ＿ｒ＝３、ｓｄ＿ｒ＝７、ｌｓ＿ｒ＝７で、主１２００ｄｐｉ（４００ｘ３）、副６００ｄｐｉ（４００ｘ１．５）とする。したがって、図１３に示した出力データは、パルス幅０の全の「００００」を「００００  ００００」に、パルス幅１の左の「０１１０」を「１０１０  ００００」に、パルス幅１の右の「０１０１」を「００００  １００１」に、パルス幅２の左の「１０１０」を「１１１１  ００００」に、パルス幅２の中の「１０００」を「１００１  １０１０」に、パルス幅２の右の「１００１」を「００００  １１１１」に、パルス幅３の左の「１１１０」を「１１１１  １０１０」に、パルス幅３の右の「１１０１」を「１１０１  １１１１」に、パルス幅４の全の「１１１１」を「１１１１  １１１１」にそれぞれ変換される。
このようにして、上位装置から転送される画像データの解像度を整数倍に変倍し、デジタルフルカラー複写機の出力解像度の切り替えに対して、柔軟に対応することができる。
【００３４】
次に、図１に示したデジタルフルカラー複写機で、上位装置から転送される任意の解像度の画像データに対して主走査方向及び副走査方向にそれぞれ設定された倍率で変倍を施し、その各変倍された画像データに応じて変調された光ビームを走査することによって像担持体上に画像形成を行う際、上記倍率を主走査方向及び副走査方向ともにｎ．５（ｎは正の整数）に設定する第１の設定と、上記倍率を主走査方向及び副走査方向ともに２×ｎ．５（ｎは正の整数）に設定する第２の設定のうちいずれか一方を選択し、上記変倍されたパルス幅ビット＋位相ビットで構成される画像データに対してγ補正を施す場合について説明する。
【００３５】
図１に示したデジタルフルカラー複写機で、画像データの主走査方向と副走査方向ともに（ｎ．５）する手段と画像データの主走査方向と副走査方向ともに２×（ｎ．５）する手段、それらの手段のうちいずれかを選択する手段を設ける。例えば、図１０に示したｚ１５０ｘ２レジスタのＯＮ／ＯＦＦによって選択する。
つまり、ｚ１５０ｘ２レジスタ＝０（ＯＦＦ時）にはｎ．５倍密となり、ｚ１５０ｘ２レジスタ＝１（ＯＮ時）には２×（ｎ．５）倍密となり、図１の主制御部１０８からの任意設定によって切り替えを可能とする。
このようにして、少数変倍かその少数変倍の２倍の変倍率のいずれかが、出力要求の解像度に応じて任意に選択可能になる。
【００３６】
次に、図１に示したデジタルフルカラー複写機で、上位装置から転送される任意の解像度の画像データに対して主走査方向及び副走査方向にそれぞれ設定された倍率で変倍を施し、その各変倍された画像データに応じて変調された光ビームを走査することによって像担持体上に画像形成を行う際、上記倍率を主走査方向及び副走査方向ともにｎ．５（ｎは正の整数）に設定し、上記変倍されたパルス幅ビット＋位相ビットで構成される画像データに対して複数のチューニングパターンに基づいてγ補正を施す場合について説明する。
この場合のγ補正による変換処理は、複数のチューニングパターンに基づいて行うものであり、図１１は縦１ドットのパターンの一部を示した図であるが、変倍のアルゴリズムに従ったパルス幅＋位相データを、後段処理ブロック３１２，３１３のγ補正処理によって変換して、図１２に示すような画像データのチューニングを行う。
【００３７】
実際の画像チューニングは、ＬＤドライバのＰＷＭ変調レベルとの関連を考慮しながら、実画像出力によって行っていく。これにより、解像度の変倍後の画質の確保、および向上が期待できる。
なお、チューニングパターンは上述の他に横１ドット、斜め、１ドット独立等のパターンがあり、それらの組み合わせによるチューニングによって、少数変倍後の出力画像がより向上する。
このようにして、システムのスループット向上に併せて、解像度の変倍後の画質の確保、および向上が期待できる。
【産業上の利用可能性】
【００３８】
この発明による画像形成装置は、タンデム機、モノカラーの複写機やプリンタに対しても適用することができる。
【図面の簡単な説明】
【００３９】
【図１】この発明の画像形成装置の一実施形態のデジタルフルカラー複写機の制御系の簡略化した構成を示すブロック図である。
【図２】図１に示すデジタルフルカラー複写機のエンジン部の概略構成を示すブロック図である。
【図３】この発明の参考となる従来のソフトウェアによる画像データの主走査方向と副走査方向の１．５倍密変換処理の一例の説明図である。
【００４０】
【図４】この実施形態のデジタルフルカラー複写機における主走査方向及び副走査方向ともに１．５倍密で変倍するときの構成例を示すブロック図である。
【図５】画像データの主走査方向及び副走査方向に対する１．５倍密処理に関するタイミングを示すタイミングチャート図である。
【図６】同じく画像データの主走査方向及び副走査方向に対する１．５倍密処理に関するタイミングを示すタイミングチャート図である。
【００４１】
【図７】主走査方向を含む主走査方向と副走査方向をｎ．５倍密（ｎ＝１：１．５倍密）にする画像変換アルゴリズムの処理を示す説明図である。
【図８】主走査２ドット×副走査２ドットの配列を主走査３ドット×副走査３ドットの配列に変換した画像データの一例を示す図である。
【図９】主走査２ドット×副走査２ドットの配列を主走査３ドット×副走査３ドットの配列に変換する変換パターンを示す図である。
【００４２】
【図１０】レジスタの配置例を示す図である。
【図１１】画像データの主走査４ドット×副走査４ドットの配列を示す図である。
【図１２】図１１に示す画像データの変換例を示す図である。
【図１３】出力データの一覧を示す表の図である。
【符号の説明】
【００４３】
１０１：ＦＡＸ  Ｉ／Ｆ    １０２：ＦＡＸ制御部    １０３：ホストＩ／Ｆ    １０４：プリンタ制御部    １０５：原稿読取部    １０６：入力画像処理部    １０７：キー操作部    １０８：主制御部    １０９：メモリ部    １１０：書込制御部    １１１：画像印字部    ２０１：書込ユニット    ２０２ａ〜２０２ｄ：現像器    ２０３：帯電ブラシ    ２０４：除電部    ２０５：感光体クリーニング    ２０６：中間転写ベルト    ２０７：クリーニングブラシローラ    ２０８：１次転写ブラシ    ２０９：給紙トレイ    ２１０：２次転写ローラ    ２１１：定着ユニット    ２１２：分岐ユニット    ２１３：両面ユニット    ２１４：感光体ベルト    ３０１：入力データＩ／Ｆ回路    ３０２：バッファＲＡＭ    ３０３：ＢＲＡＭ  Ｉ／Ｆ＆制御回路    ３０４：Ｐ／Ｓ変換回路    ３０５：イメージマトリックス部    ３０６，３０８：主／副１．５倍密補正回路    ３０７，３０９：他の処理回路    ３１０，３１１：セレクタ    ３１２，３１３：後段処理ブロック    ３１４：副走査タイミング制御部    ３１５：画像同期信号発生回路    ３１６：中間転写ベルトマーク検知回路    ３１７：主走査倍密タイミング制御部
【図１】
2006086749.tif 000003
【図２】
2006086749.tif 000004
【図３】
2006086749.tif 000005
【図４】
2006086749.tif 000006
【図５】
2006086749.tif 000007
【図６】
2006086749.tif 000008
【図７】
2006086749.tif 000009
【図８】
2006086749.tif 000010
【図９】
2006086749.tif 000011
【図１０】
2006086749.tif 000012
【図１１】
2006086749.tif 000013
【図１２】
2006086749.tif 000014
【図１３】
2006086749.tif 000015